(57)【要約】【課題】レンズ鏡筒において、光学系の光軸方向への可動範囲を拡大する。【解決手段】互いに平行に配された複数の直線状の第１及び第２の案内軸と、第１の光学系を保持すると共に、前記第１の案内軸に係合する第１の係合部、及び、前記第１の光学系の光軸方向について前記第１の係合部と異なる位置において前記第２の案内軸に係合する第２の係合部を有する第１の保持部材と、前記第１の光学系とは異なる第２の光学系を保持すると共に、前記第１の案内軸に係合する第３の係合部、及び、前記第２の光学系の光軸方向について前記第３の係合部と異なる位置において前記第２の案内軸に係合する第４の係合部を有する第２の保持部材と、を備え、前記第１の係合部及び前記第３の係合部は、前記第２の係合部及び前記第４の係合部と、光軸方向に沿った順序が入れ替わって配されるレンズ鏡筒。【選択図】図１
2010113077.tif 000002
【特許請求の範囲】
【請求項１】
互いに平行に配された複数の直線状の第１及び第２の案内軸と、
第１の光学系を保持すると共に、前記第１の案内軸に係合する第１の係合部、及び、前記第１の光学系の光軸方向について前記第１の係合部と異なる位置において前記第２の案内軸に係合する第２の係合部を有する第１の保持部材と、
前記第１の光学系とは異なる第２の光学系を保持すると共に、前記第１の案内軸に係合する第３の係合部、及び、前記第２の光学系の光軸方向について前記第３の係合部と異なる位置において前記第２の案内軸に係合する第４の係合部を有する第２の保持部材と、を備え、
前記第１の係合部及び前記第３の係合部は、前記第２の係合部及び前記第４の係合部と、光軸方向に沿った順序が入れ替わって配されるレンズ鏡筒。
【請求項２】
前記第１の保持部材は、前記第１の光学系を保持する第１の保持枠、及び、前記第１の保持枠と前記第２の係合部との間に延在する第１の腕部をさらに有し、
前記第２の保持部材は、前記第２の光学系を保持する第２の保持枠、及び、前記第２の保持枠と前記第４の係合部との間に延在する第２の腕部をさらに有し、
前記第１の腕部と前記第２の腕部とは、前記第２の案内軸に沿い、且つ、前記第２の案内軸を挟んで互いに反対側の位置に配置される請求項１に記載のレンズ鏡筒。
【請求項３】
前記第１及び第２の案内軸に平行な第３の案内軸をさらに有し、
前記第１の保持部材は、前記第１の係合部を含み前記光軸に直交する面内で前記第３の案内軸に係合する第５の係合部を有する請求項１又は請求項２に記載のレンズ鏡筒。
【請求項４】
前記第１の保持部材は、前記面の位置で前記第１の光学系を保持する請求項３に記載のレンズ鏡筒。
【請求項５】
前記第１の保持部材は、前記第１の腕部に配されて外部からの駆動力を伝達する駆動力伝達部をさらに有する請求項２に記載のレンズ鏡筒。
【請求項６】
前記第１の保持部材は、前記第１の保持枠と前記第１の係合部との間に延在する第３の腕部をさらに有し、前記第１の腕部の剛性は前記第３の腕部の剛性より高く、
前記第２の保持部材は、前記第２の保持枠と前記第３の係合部との間に延在する第４の腕部をさらに有し、前記第２の腕部の剛性は前記第４の腕部の剛性より高い請求項２又は請求項５に記載のレンズ鏡筒。
【請求項７】
前記第２の案内軸と前記第１の案内軸との間隔、及び、前記第２の案内軸と前記第３の案内軸との間隔は、前記第１の案内軸と前記第３の案内軸との間隔と異なる請求項３又は請求項４に記載のレンズ鏡筒。
【請求項８】
請求項１から請求項７までの何れか１項に記載のレンズ鏡筒と、
前記第１の光学系及び前記第２の光学系を通過した像を撮影する撮像部と、
を備える撮像装置。
【発明の詳細な説明】
【技術分野】
【０００１】
本発明は、レンズ鏡筒及び撮像装置に関する。
【背景技術】
【０００２】
複数本のガイドバーにより光学系の光軸方向への移動をガイドするレンズ鏡筒が知られている（例えば、特許文献１参照）。
【特許文献１】特許第３０７８８９９号公報
【発明の開示】
【発明が解決しようとする課題】
【０００３】
上記レンズ鏡筒において、光学系の光軸方向への可動範囲を拡大することを課題とする。
【課題を解決するための手段】
【０００４】
上記課題を解決するために、本発明の第１の態様においては、互いに平行に配された複数の直線状の第１及び第２の案内軸（１１０、１１２）と、第１の光学系（１０２）を保持すると共に、前記第１の案内軸に係合する第１の係合部（１１８）、及び、前記第１の光学系の光軸方向について前記第１の係合部と異なる位置において前記第２の案内軸に係合する第２の係合部（１２６）を有する第１の保持部材（１０６）と、前記第１の光学系とは異なる第２の光学系（１０４）を保持すると共に、前記第１の案内軸に係合する第３の係合部（１３２）、及び、前記第２の光学系の光軸方向について前記第３の係合部と異なる位置において前記第２の案内軸に係合する第４の係合部（１４０）を有する第２の保持部材（１０８）と、を備え、前記第１の係合部及び前記第３の係合部は、前記第２の係合部及び前記第４の係合部と、光軸方向に沿った順序が入れ替わって配されるレンズ鏡筒（１００）を提供する。
【発明を実施するための最良の形態】
【０００５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００６】
図１は、レンズ鏡筒１００の内部構造を示す斜視図である。この図に示すように、レンズ鏡筒１００は、前群レンズ１０２と、後群レンズ１０４と、前群レンズ保持体１０６と、後群レンズ保持体１０８と、ガイドバー１１０、１１２、１１４とを備えている。なお、以下の説明では、前群レンズ１０２及び後群レンズ１０４の光軸方向を光軸方向と、前群レンズ１０２及び後群レンズ１０４の半径方向を半径方向と称する。また、レンズ鏡筒１００を装着したカメラ本体を横位置で構えた状態で、光軸方向と直交する平面内において上下に延びる方向、左右に延びる方向をそれぞれ上下方向、左右方向と称する。
【０００７】
前群レンズ１０２と後群レンズ１０４とは、被写体側からカメラ本体側へ光軸方向に沿って記載順に配されている。また、前群レンズ保持体１０６は、前群レンズ１０２を保持しており、後群レンズ保持体１０８は、後群レンズ１０４を保持している。また、ガイドバー１１０とガイドバー１１２とガイドバー１１４とは、円柱状の軸であって、光軸方向に沿って互いに平行に配されている。ガイドバー１１２とガイドバー１１４とが左右方向に並べて配され、ガイドバー１１０が、ガイドバー１１２とガイドバー１１４とを結ぶ直線における中点の上方に配されている。即ち、ガイドバー１１０とガイドバー１１２とガイドバー１１４とは、光軸方向に見て二等辺三角形又は正三角形を形成している。
【０００８】
また、レンズ鏡筒１００は、ガイドバー１１０、１１２、１１４を支持する前後一対のガイドバー支持部１５０、１５２と、モータ等の駆動源から前群レンズ保持体１０６と後群レンズ保持体１０８とに駆動力を伝達するカム環１５４とを備えている。ガイドバー支持部１５０は被写体側にガイドバー支持部１５２はカメラ本体側に配され、カム環１５４は、ガイドバー支持部１５０とガイドバー支持部１５２とにより光軸方向に挟まれている。
【０００９】
ガイドバー支持部１５０は、円環状の固定環１５６と、固定環１５６の内周側に配された円環状のフランジ１５８と、固定環１５６に取付けられた３個のビス１６０、１６１、１６２とを備えている。フランジ１５８の外周部には、内周側に凹んだ３個のＶ溝１６４、１６６、１６８が形成されている。Ｖ溝１６６、１６８とは左右方向に並べて配され、Ｖ溝１６４がＶ溝１６６とＶ溝１６８とを結ぶ線の中点の上方に配されている。即ち、Ｖ溝１６４、１６６、１６８は、ガイドバー１１０、１１２、１１４と同様に、光軸方向に見て二等辺三角形又は正三角形を形成しており、Ｖ溝１６４にガイドバー１１０の前端部が嵌め込まれ、Ｖ溝１６６にガイドバー１１２の前端部が嵌め込まれ、Ｖ溝１６８にガイドバー１１４の前端部が嵌め込まれている。
【００１０】
また、３個のビス１６０、１６１、１６２は、固定環１５６に螺合しており、これらの頭部は、固定環１５６の外周側に配され、これらの先端部は、固定環１５６から内周側へ突出している。ビス１６０は、外径方向に沿ってＶ溝１６４と並べて配され、先端部をガイドバー１１０の前端部に当接させており、ガイドバー１１０の前端部は、一対のＶ溝１６４の斜面及びビス１６０の３点で固定支持されている。また、ビス１６１は、外径方向に沿ってＶ溝１６６と並べて配され、先端部をガイドバー１１２の前端部に当接させており、ガイドバー１１２の前端部は、Ｖ溝１６６の一対の斜面及びビス１６１の３点で固定支持されている。さらに、ビス１６２は、外径方向に沿ってＶ溝１６８と並べて配され、先端部をガイドバー１１４の前端部に当接させており、ガイドバー１１４の前端部は、Ｖ溝１６８の一対の斜面及びビス１６２の３点で固定支持されている。
【００１１】
ガイドバー支持部１５２は、円環状の固定環１７０と、固定環１７０の内周側に配された円環状のフランジ１５８と、固定環１７０に取付けられた３個のビス１６０、１６１、１６２とを備えている。ここで、フランジ１５８と、ビス１６０、１６１、１６２とは、ガイドバー支持部１５０に備えられた同符号のフランジ１５８と、ビス１６０、１６１、１６２と同構成であり、ガイドバー１１０、１１２、１１４の後端部が、Ｖ溝１６４、１６６、１６８とビス１６０、１６１、１６２とにより固定支持している。
【００１２】
前群レンズ保持体１０６は、前群レンズ１０２を保持する前群レンズ保持枠１１６と、ガイドバー１１０と軸方向に沿って摺動自在に係合する軸受部１１８と、前群レンズ保持枠１１６と軸受部１１８との間で延在してこれらを連結する前群アーム部１２０とを備えている。前群レンズ保持枠１１６は、円環状に形成されており、内周部に前群レンズ１０２が取付けられている。また、軸受部１１８は、ガイドバー１１０と摺動自在に嵌合する円孔が形成された板材である。また、前群アーム部１２０は、Ｌ字状の部材であり、前群レンズ保持枠１１６の外周面から前群レンズ保持枠１１６の外径方向へ延びる第１延出部１２２と、第１延出部１２２の先端部から光軸方向に沿ってカメラ本体側へ延び、当該第１延出部１２２と軸受部１１８とを連結する第２延出部１２４とを備えている。
【００１３】
即ち、軸受部１１８は、前群レンズ保持枠１１６及び前群レンズ１０２よりもカメラ本体側にオフセットして配されている。また、第２延出部１２４は、ガイドバー１１０に沿って光軸方向へ延びている。
【００１４】
また、前群レンズ保持体１０６は、ガイドバー１１２と軸方向に沿って摺動自在に係合する軸受部１２６と、ガイドバー１１４と軸方向に沿って摺動自在に係合する軸受部１２８とを備えている。軸受部１２６と軸受部１２８とは、前群レンズ保持枠１１６の外周面から前群レンズ保持枠１１６の外径方向へ延びる板状体であり、軸受部１２６の先端部には、ガイドバー１１２と摺動自在に嵌合する円孔が形成され、軸受部１２８の先端部には、ガイドバー１１４と摺動自在に嵌合する円孔が形成されている。即ち、軸受部１２６と軸受部１２８とは、前群レンズ保持枠１１６及び前群レンズ１０２と光軸方向に直交する同一の面内に配されている。
【００１５】
ここで、第１延出部１２２における半径方向から見た断面の面積、及び第２延出部１２４における光軸方向から見た断面の面積は、軸受部１２６、１２８の半径方向から見た断面の面積より大きく、第１延出部１２２及び第２延出部１２４の曲げ剛性は、軸受部１２６、１２８の曲げ剛性より高い。
【００１６】
また、第２延出部１２４における光軸方向の中央部には、カムフォロア１２９が配されている。このカムフォロア１２９は、カム環１５４に形成されたカム溝と嵌合しており、当該カム溝と共に、カム環１５４の回転運動を前群レンズ保持枠１１６の光軸方向への直線運動に変換する。
【００１７】
ここで、前群レンズ保持枠１１６をガイドバー１１０に支持する軸受部１１８が、前群レンズ保持枠１１６をガイドバー１１２、１１４に支持する軸受部１２６、１２８と光軸方向において異なる位置に配されている。これに対して、軸受部１１８を、軸受部１２６、１２８と光軸方向において同じ位置に配した場合、前群レンズ保持枠１１６が光軸方向へ移動するに際して前群レンズ保持枠１１６に生じる光軸方向への倒れの影響により、軸受部１１８、１２６、１２８とガイドバー１１０、１１２、１１４との摩擦抵抗が増大する。しかし、本実施形態に係るレンズ鏡筒１００では、前群レンズ保持枠１１６の光軸方向への倒れを抑制でき、軸受部１１８、１２６、１２８とガイドバー１１０、１１２、１１４との摩擦抵抗を低減できる。従って、前群レンズ保持枠１１６を光軸方向へスムーズに移動させることができる。
【００１８】
後群レンズ保持体１０８は、後群レンズ１０４を保持する後群レンズ保持枠１３０と、ガイドバー１１０と軸方向に沿って摺動自在に係合する軸受部１３２と、後群レンズ保持枠１３０と軸受部１３２との間で延在してこれらを連結する後群アーム部１３４とを備えている。後群レンズ保持枠１３０は、円環状に形成されており、内周部に後群レンズ１０４が取付けられている。また、軸受部１３２は、ガイドバー１１０と摺動自在に嵌合する円孔が形成された板材である。また、後群アーム部１３４は、Ｌ字状の部材であり、後群レンズ保持枠１３０の外周面から後群レンズ保持枠１３０の外径方向へ延びる第３延出部１３６と、第３延出部１３６の先端部から光軸方向へ沿って被写体側へ延び、当該先端部と軸受部１３２とを連結する第４延出部１３８とを備えている。
【００１９】
即ち、軸受部１３２は、後群レンズ保持枠１３０よりも被写体側にオフセットして配されている。また、第４延出部１３８は、ガイドバー１１０に沿って光軸方向へ延びている。
【００２０】
ここで、前群アーム部１２０の第２延出部１２４は、被写体側から見てガイドバー１１０の右側に配されているのに対して、後群アーム部１３４の第４延出部１３８は、被写体側から見てガイドバー１１０の左側に配されている。即ち、第２延出部１２４と第４延出部１３８とは、ガイドバー１１０を挟んで互いに反対側に配されており、これらは動作干渉しない。
【００２１】
また、後群レンズ保持体１０８は、ガイドバー１１２と軸方向に沿って摺動自在に係合する軸受部１４０と、ガイドバー１１４と軸方向に沿って摺動自在に係合する軸受部１４２とを備えている。軸受部１４０と軸受部１４２とは、後群レンズ保持枠１３０の外周面から後群レンズ保持枠１３０の外径方向へ延びる板状体であり、軸受部１４０の先端部には、ガイドバー１１２と摺動自在に嵌合する円孔が形成され、軸受部１４２の先端部には、ガイドバー１１４と摺動自在に嵌合する円孔が形成されている。即ち、軸受部１４０と軸受部１４２とは、後群レンズ保持枠１３０と光軸方向と直交する同一の面内に配されている。
【００２２】
ここで、第３延出部１３６における半径方向から見た断面の面積、及び第４延出部１３８における光軸方向から見た断面の面積は、軸受部１４０、１４２の半径方向から見た断面の面積より大きくなっており、第３延出部１３６及び第４延出部１３８の曲げ剛性は、軸受部１４０、１４２の曲げ剛性より高くなっている。
【００２３】
また、第４延出部１３８における光軸方向の中央部には、カムフォロア１３９が配されている。このカムフォロア１３９は、カム環１５４に形成されたカム溝と嵌合しており、当該カム溝と共に、カム環１５４の回転運動を後群レンズ保持枠１３０の光軸方向への直線運動に変換する。
【００２４】
ここで、レンズ鏡筒１００では、後群レンズ保持枠１３０をガイドバー１１０に支持する軸受部１３２が、後群レンズ保持枠１３０をガイドバー１１２、１１４に支持する軸受部１４０、１４２と光軸方向において異なる位置に配している。これに対して、軸受部１３２を、軸受部１４０、１４２と光軸方向において同じ位置に配した場合、後群レンズ保持枠１３０が光軸方向へ移動するに際して後群レンズ保持枠１３０に生じる光軸方向への倒れの影響により、軸受部１３２、１４０、１４２とガイドバー１１０、１１２、１１４との摩擦抵抗が増大する。しかし、レンズ鏡筒１００では、軸受部１３２、１４０、１４２とガイドバー１１０、１１２、１１４との摩擦抵抗を低減できるので、後群レンズ保持枠１３０を光軸方向へスムーズに移動させることができる。
【００２５】
また、レンズ鏡筒１００では、前群レンズ保持枠１１６を前群レンズ保持枠１１６よりカメラ本体側においてガイドバー１１０に支持する軸受部１１８が、後群レンズ保持枠１３０をガイドバー１１０に支持する軸受部１３２よりもカメラ本体側に配されている。即ち、前群レンズ保持枠１１６に対応する軸受部１２６、１２８と後群レンズ保持枠１３０に対応する軸受部１４０、１４２とは、被写体側からカメラ本体側へ、この記載順に配されているのに対して、前群レンズ保持枠１１６に対応する軸受部１１８と後群レンズ保持枠１３０に対応する軸受部１３２とは、被写体側からカメラ本体側への順番を入れ替えて配されている。
【００２６】
図２は、レンズ鏡筒１００の側断面図を示している。この図に示すように、固定環１７０の後端部には、内周側へ張り出した円環状の規制部１７２が形成されている。この規制部１７２には、カメラ本体側のフランジ１５８が当接することにより、カム環１５４の光軸方向の位置決めがなされる。
【００２７】
また、カム環１５４の軸方向両端部の内周面は、前後のフランジ１５８の外周面と光軸周りに回転自在に嵌合している。これにより、カム環１５４の軸心が位置決めされている。
【００２８】
図３は、前群レンズ１０２を被写体側へ最大限移動させると共に、後群レンズ１０４をカメラ本体側へ最大限移動させた状態におけるレンズ鏡筒１００を示す斜視図である。また、図４は、当該状態におけるレンズ鏡筒１００を示す側断面図である。上述したように、前群アーム部１２０と後群アーム部１３４とが、ガイドバー１１０を間に挟んで反対側に配され、軸受部１１８が軸受部１３２よりカメラ本体側に配されている。また、軸受部１２６、１２８は、前群レンズ保持枠１１６と光軸方向について同じ位置に配され、軸受部１４０、１４２は、後群レンズ保持枠１３０と光軸方向について同じ位置に配されている。このため、前群レンズ保持枠１１６は、軸受部１１８が軸受部１３２に当接するまで被写体側へ移動でき、また、後群レンズ保持枠１３０は、軸受部１３２が軸受部１１８に当接するまでカメラ本体側へ移動できる。
【００２９】
図５は、前群レンズ１０２をカメラ本体側へ最大限移動させると共に、後群レンズ１０４を被写体側へ最大限移動させた状態におけるレンズ鏡筒１００を示す側断面図である。上述したように、前群アーム部１２０と後群アーム部１３４とが、ガイドバー１１０を間に挟んで反対側に配され、軸受部１１８が軸受部１３２よりカメラ本体側に配されている。また、軸受部１２６、１２８は、前群レンズ保持枠１１６と光軸方向について同じ位置に配され、軸受部１４０、１４２は、後群レンズ保持枠１３０と光軸方向について同じ位置に配されている。このため、前群レンズ保持枠１１６は、後群レンズ保持枠１３０に当接するまでカメラ本体側へ移動でき、また、後群レンズ保持枠１３０は、前群レンズ保持枠１１６に当接するまで被写体側へ移動できる。
【００３０】
図６は、前群レンズ保持枠１１６と後群レンズ保持枠１３０との可動範囲を説明するための図である。この図の１段目は、前群レンズ保持枠１１６を被写体側へ最大限移動させ、後群レンズ保持枠１３０をカメラ本体側へ最大限移動させた状態を示している。また、この図の２段目は、前群レンズ保持枠１１６をカメラ本体側へ最大限移動させ、後群レンズ保持枠１３０を被写体側へ最大限移動させた状態を示している。
【００３１】
また、この図の３段目及び４段目は、前群レンズ保持枠１１６に対応する軸受部１１８と後群レンズ保持枠１３０に対応する軸受部１３２とを、被写体側からカメラ本体側へこの記載順に配すと共に、軸受部１４０を軸受部１３２、１４２より被写体側に配した比較例を示している。この図の３段目は、当該比較例において、前群レンズ保持枠１１６を被写体側へ最大限移動させ、後群レンズ保持枠１３０をカメラ本体側へ最大限移動させた状態を示している。また、この図の４段目は、当該比較例において、前群レンズ保持枠１１６をカメラ本体側へ最大限移動させ、後群レンズ保持枠１３０を被写体側へ最大限移動させた状態を示している。
【００３２】
この図に示すように、レンズ鏡筒１００では、前群レンズ保持枠１１６を最前位からカメラ本体側へ距離Ｓだけ移動できるのに対して、比較例では、距離Ｓより短い距離Ｓ´だけしか移動できない。また、レンズ鏡筒１００では、後群レンズ保持枠１３０を最後位から被写体側へ距離Ｄだけ移動できるのに対して、比較例では、距離Ｄより短い距離Ｄ´だけしか移動できない。以上により、レンズ鏡筒１００によれば、前群レンズ保持枠１１６に対応する軸受部１１８と後群レンズ保持枠１３０に対応する軸受部１３２とを、被写体側からカメラ本体側へ順番を入れ替えて配したことにより、前群レンズ保持枠１１６及び後群レンズ保持枠１３０の可動範囲を拡大できる。
【００３３】
また、前群レンズ保持体１０６は、光軸と直交する同一の面内で軸受部１２６と軸受部１２８とによりガイドバー１１２とガイドバー１１４とに支持されている。即ち、軸受部１２６、１２８の光軸方向位置が、前群レンズ保持体１０６の重心の光軸方向位置と一致し、軸受部１１８の位置がずれている。このため、前群レンズ保持枠１１６の光軸方向への倒れを抑制できる。
【００３４】
また、後群レンズ保持体１０８も同様に、光軸と直交する同一の面内で軸受部１４０と軸受部１４２とによりガイドバー１１２とガイドバー１１４とに支持されている。即ち、軸受部１４０、１４２の光軸方向の位置が、後群レンズ保持体１０８の重心の光軸方向位置と一致し、軸受部１３２の位置がずれている。このため、後群レンズ保持枠１３０の光軸方向への倒れを抑制できる。
【００３５】
また、レンズ鏡筒１００では、前群レンズ１０２に対応するカムフォロア１２９がガイドバー１１０に沿って配された第２延出部１２４に設けられている。即ち、カムフォロア１２９がガイドバー１１０に近接されている。このため、カム環１５４からカムフォロア１２９への荷重作用点と軸受部１１８の支持点までの距離をより短くできる。従って、前群レンズ保持枠１１６の鉛直軸周りの捩れを抑制できる。
【００３６】
また、後群レンズ１０４に対応するカムフォロア１３９も同様に、ガイドバー１１０に沿って配された第４延出部１３８に設けられている。このため、カム環１５４からカムフォロア１３９への荷重作用点と軸受部１３２の支持点までの距離をより短くできる。従って、後群レンズ保持枠１３０の鉛直軸周りの捩れを抑制できる。
【００３７】
また、レンズ鏡筒１００では、前群アーム部１２０の軸方向から見た断面の面積が、軸受部１２６、１２８の軸方向から見た断面の面積よりも大きくなっており、前群アーム部１２０の曲げ剛性が、軸受部１２６、１２８の曲げ剛性より高くなっている。ここで、軸受部１１８が、前群レンズ保持枠１１６の重心に対して光軸方向にオフセットして配されていることから、前群アーム部１２０の基端部からガイドバー１１０までの距離は、軸受部１２６、１２８の基端部からガイドバー１１２、１１４までの距離より長い。そのため、前群アーム部１２０の曲げ剛性を向上させて、前群レンズ保持枠１１６が光軸方向へ倒れないようにした。
【００３８】
また、後群アーム部１３４も同様に、後群アーム部１３４の基端部からガイドバー１１０までの距離は、軸受部１４０、１４２の基端部からガイドバー１１２、１１４までの距離より長い。そのため、後群アーム部１３４の曲げ剛性を向上させて、後群レンズ保持枠１３０が光軸方向へ倒れないようにした。
【００３９】
なお、レンズ鏡筒１００ガイドバー１１０、１１２、１１４の間隔は全て同一、即ちガイドバー１１０、１１２、１１４を正三角形状に配してもよいが、ガイドバー１１２とガイドバー１１４との間隔だけ異ならせてガイドバー１１０、１１２、１１４を二等辺三角形状に配してもよい。この場合、前群アーム部１２０に結合された軸受部１１８が、二等辺三角形の頂角に配されたガイドバー１１０と係合する。これにより、軸受部１２６、１２８とを同一形状に形成でき、軸受部１２６、１２８に生じるモーメントの差を低減できる。従って、前群レンズ保持枠１１６の鉛直軸周りの捩れを抑制できる。
【００４０】
図７は、前群レンズ保持体１０６を示す斜視図である。この図に示すように、ガイドバー１１２、１１４に係合する軸受部１２６、１２８を、光軸と直交する同一の面内に配している。また、前群レンズ保持枠１１６を、軸受部１２６、１２８と光軸と直交する同一の面内に配しており、前群レンズ保持枠１１６を、軸受部１２６、１２８により、光軸と直交する同一の面内においてガイドバー１１２、１１４に支持している。
【００４１】
図８は、前群レンズ保持体１０６の位置精度について説明するための図である。この図には、軸受部１１８の内周面とガイドバー１１０との当接点１８０と、軸受部１２６とガイドバー１１２との当接点１８２と、軸受部１２８とガイドバー１１４との当接点１８４とを含む平面１９０を示している。この平面１９０と光軸とは角度θをもって交差する。この角度θは、部品の寸法誤差、組付け誤差等を要因として変動するが、その場合、前群レンズ１０２の位置精度が低下して、前群レンズ１０２の光学性能が低下する。そこで、前群レンズ１０２の光学性能を十分に確保すべく角度θの許容誤差を設定する。なお、後群レンズ保持体１０８についても同様である。
【００４２】
図９は、レンズ鏡筒１００を備えたデジタルカメラ３００の構造を模式的に示す側断面図である。この図に示すように、レンズ鏡筒１００は、マウント部２６０を介して、カメラ本体２００に対して着脱自在に装着される。なお、デジタルカメラ３００において、レンズ鏡筒１００およびカメラ本体２００は、図示していない接続端子を介して電気的にも結合される。これにより、レンズ鏡筒１００は、カメラ本体２００から電力を供給される。
【００４３】
カメラ本体２００は、主鏡２４０、ペンタプリズム２７０、接眼光学系２９０を含む光学系と、主制御部２５０とを収容する。主鏡２４０は、レンズ鏡筒１００の前群レンズ１０２及び後群レンズ１０４を含む光学系を介して入射した入射光の光路上に傾斜して配置される待機位置と、入射光を避けて上昇する撮影位置（図中に点線で示す）との間を移動する。
【００４４】
待機位置にある主鏡２４０は、入射光の大半を、上方に配置されたフォーカシングスクリーン２７２に導く。フォーカシングスクリーン２７２は、レンズ鏡筒１００の上記光学系の合焦位置に配置され、上記光学系により形成された画像を結像させる。
【００４５】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００４６】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、デジタルカメラ３００の撮影条件、設定条件等の情報が表示される。
【００４７】
また、ペンタプリズム２７０の出射光の一部は、測光部２８０に導かれる。測光部２８０は、入射光の強度およびその分布等を測定して、撮影条件を決定する場合に測定結果が参照される。
【００４８】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００４９】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００５０】
また、カメラ本体２００は、レンズ鏡筒１００に対して背面において、外部に面したメインＬＣＤ２９６を備える。メインＬＣＤ２９６は、カメラ本体２００に対する各種の設定情報を表示する他、主鏡２４０が撮影位置に移動している場合に撮像素子２１０に形成された画像を表示することもできる。
【００５１】
主制御部２５０は、上記のような種々の動作を総合的に制御する。また、カメラ本体２００側の焦点検出装置２３０が検出した被写体までの距離の情報を参照して、レンズ鏡筒１００を駆動するオートフォーカス機構を形成できる。また、焦点検出装置２３０がレンズ鏡筒１００の動作量を参照して、フォーカスエイド機構を形成することもできる。更に、主制御部２５０は、露出の自動化、シーンモードの実行、ブラケット撮影の実行等にも寄与する。
【００５２】
こうして、レンズ鏡筒１００と、前群レンズ１０２及び後群レンズ１０４を含む光学系による像を撮影するカメラ本体２００とを有するデジタルカメラ３００が形成される。このように、レンズ鏡筒１００は、デジタルカメラ３００において好適に使用できる。しかしながら、レンズ鏡筒１００の用途がこれに限られるわけではなく、例えば、動画撮影機、双眼鏡、顕微鏡、測量機等の光学系において、合焦機構、ズーム機構等に使用できる。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず」、「次に」等を用いて説明したとしても、この順で実施することが必須であることを意味するものではない。
【図面の簡単な説明】
【００５５】
【図１】レンズ鏡筒１００の内部構造を示す斜視図である。
【図２】レンズ鏡筒１００の側断面図を示している。
【図３】前群レンズ１０２を被写体側へ最大限移動させると共に、後群レンズ１０４をカメラ本体側へ最大限移動させた状態におけるレンズ鏡筒１００を示す斜視図である。
【図４】当該状態におけるレンズ鏡筒１００を示す側断面図である。
【図５】前群レンズ１０２をカメラ本体側へ最大限移動させると共に、後群レンズ１０４を被写体側へ最大限移動させた状態におけるレンズ鏡筒１００を示す側断面図である。
【図６】前群レンズ保持枠１１６と後群レンズ保持枠１３０との可動範囲を説明するための図である。
【図７】前群レンズ保持体１０６を示す斜視図である。
【図８】前群レンズ保持体１０６の位置精度について説明するための図である。
【図９】レンズ鏡筒１００を備えたデジタルカメラ３００の構造を模式的に示す側断面図である。
【符号の説明】
【００５６】
１００  レンズ鏡筒、１０２  前群レンズ、１０４  後群レンズ、１０６  前群レンズ保持体、１０８  後群レンズ保持体、１１０  ガイドバー、１１２  ガイドバー、１１４  ガイドバー、１１６  前群レンズ保持枠、１１８  軸受部、１２０  前群アーム部、１２２  第１延出部、１２４  第２延出部、１２６  軸受部、１２８  軸受部、１２９  カムフォロア、１３０  後群レンズ保持枠、１３２  軸受部、１３４  後群アーム部、１３６  第３延出部、１３８  第４延出部、１３９  カムフォロア、１４０  軸受部、１４２  軸受部、１５０、１５２  ガイドバー支持部、１５４  カム環、１５６  固定環、１５８  フランジ、１６０、１６１、１６２  ビス、１６４、１６６、１６８  Ｖ溝、１７０  固定環、１７２  規制部、１８０  当接点、１８２  当接点、１８４  当接点、１９０  平面、２００  カメラ本体、２１０  撮像素子、２１２  光学フィルタ、２２０  シャッタ、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  デジタルカメラ
【図１】
2010113077.tif 000003
【図２】
2010113077.tif 000004
【図３】
2010113077.tif 000005
【図４】
2010113077.tif 000006
【図５】
2010113077.tif 000007
【図６】
2010113077.tif 000008
【図７】
2010113077.tif 000009
【図８】
2010113077.tif 000010
【図９】
2010113077.tif 000011